【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
撮影領域内の被検体を磁気的に画像化するシステムにおいて、
前記撮影領域の上下に分極された静磁場磁石と、傾斜磁場コイルとを有し、前記撮影領域の上下それぞれに設けられたハウジングと、
２つのＵ字形ループを形成するＲＦ送信コイルストリップであって、各Ｕ字形ループは前記撮影領域の外に向かって凹状に設けられ、かつそれぞれのハウジングによりその位置が概ね定められる２つの辺と、面が異なる２つのハーフループとを有するＲＦ送信コイルストリップと、
隣り合う２本の支柱の２組として配置される４本の支柱であって、各ハーフループは３つの辺を有し、前記２つのハーフループは、それぞれのハウジングにより定められる２つの辺を有し、Ｕ字形ループの一方を形成する２つのハーフループの辺のうち、ハウジングにより定められる辺以外の残りの辺は、隣り合う２本の支柱のそれぞれの辺に対応して定められており、Ｕ字形ループの他方を形成する別の２つのハーフループの辺のうち、ハウジングにより定められる辺以外の残りの辺は、隣り合う別の２本の支柱のそれぞれの辺に対応して定められる４本の支柱と、
前記傾斜磁場コイルの磁束と前記ＲＦ送信コイルストリップとを制御するコンピュータと、
を具備するシステム。
【請求項２】
前記支柱は、磁束導体からなり、前記撮影領域の上下のハウジングを構造的に支える請求項１記載のシステム。
【請求項３】
撮影領域内の被検体を磁気的に画像化するシステムにおいて、
前記撮影領域の上下に分極された静磁場磁石と、傾斜磁場コイルとを有し、前記撮影領域の上下それぞれに設けられたハウジングと、
前記撮影領域を囲む電気的に連続な単一の導電性ストリップからなるＲＦ送信コイルであって、前記撮影領域の周囲にＸ字状に並列配置され、かつ面が異なる２つのハーフループを形成する２つのＵ字形ループを形成するＲＦ送信コイルと、
隣り合う２本の支柱２組として配置された４本の支柱であって、各ハーフループは３つの辺を有し、前記２つ１組のハーフループは、それぞれのハウジングにより定められる２つの辺を有し、Ｕ字形ループの一方を形成する２つのハーフループの辺のうち、ハウジングにより定められる辺以外の残りの辺は、隣り合う２本の支柱のそれぞれの辺に対応して定められており、Ｕ字形ループの他方を形成する別の２つのハーフループの辺のうち、ハウジングにより定められる辺以外の残りの辺は、隣り合う別の２本の支柱のそれぞれの辺に対応して定められている４本の支柱と、
傾斜磁場コイルの磁束とＲＦ送信コイルとを制御するコンピュータとを具備するシステム。
【請求項４】
前記支柱は、磁束導体からなり、前記撮影領域の上下のハウジングを構造的に支える請求項３のシステム。
【請求項５】
垂直支柱と水平ハウジングとで定められる撮影領域を有する横磁石型ＭＲＩシステムで用いられるＲＦ送信コイルにおいて、
接続されたトップ、ボトム、および辺ストリップを有する矩形ループを形成し、トップおよびボトムストリップは、前記撮影領域の中心に近い第１の部分と、この第１の部分から延長して、２つの異なる垂直支柱に向けた異なる２つの向きに設けられる２つの終端部分とを有する第１の導電性ストリップと、
接続されたトップ、ボトム、および辺ストリップを有する別の矩形ループを形成し、トップおよびボトムストリップは、前記撮影領域の中心に近い第１の部分と、この第１の部分から延長して、別の２つの異なる垂直支柱に向けたさらに異なる２つの向きに設けられる２つの終端部分とを有する第２の導電性ストリップと
を具備するＲＦ送信コイル。
【請求項６】
前記異なる４本の向きは、少なくとも１つの面において互いに直交する請求項５記載のＲＦ送信コイル。
【請求項７】
前記矩形ループは、第１の導電性ストリップと第２の導電性ストリップとを接続する付加的な導電性ストリップのトランジション部分を介して電気的に接触される請求項５記載のＲＦ送信コイル。
【請求項８】
前記トランジション部分は、前記撮影領域の中心から少なくとも１５ｃｍは離れている請求項７記載のＲＦ送信コイル。
【請求項９】
前記導電性ストリップの全てを支える電気的絶縁フレームをさらに備える請求項５記載のＲＦ送信コイル。
【請求項１０】
上面を定める上部ポールと下面を定める下部ポールとを有する静磁場磁石と、
上部および下部ポールを構造的に接続し、磁気的導体を有する支持構造と、
電気的に接続され、それぞれが上面、下面、および支持構造に近い各辺を有する２つの矩形ハーフループにより形成される第１のＲＦコイルとを具備し、
２つの矩形ハーフループの一方は上面と下面にほぼ直交する第１の面内にあり、２つの矩形ハーフループの他方は上面と下面にほぼ直交するが第１の面とは異なる第２の面内にある磁気システム。
【請求項１１】
電気的に接続され、それぞれが上面、下面、および支持構造に近い各辺を有する他の２つの矩形ハーフループにより形成される第２のＲＦコイルをさらに具備し、
他の２つの矩形ハーフループの一方は上面と下面にほぼ直交するが第１の面及び第２の面とは異なる第３の面内にあり、他の２つの矩形ハーフループの他方は上面と下面にほぼ直交するが第１の面、第２の面および第３の面とは異なる第４の面内にある請求項１０記載の磁気システム。
【請求項１２】
第１、第２、第３、第４の面のうちの２つの面は、第１、第２、第３、第４の面のうちの他の２つの面とほぼ直交する請求項１１記載の磁気システム。
【請求項１３】
前記支持構造が４本の支柱から成る請求項１１記載の磁気システム。
【請求項１４】
第１および第３の面は前記４本の支柱のうちの２つと概ね交差し、第２と第４の面は前記４本の支柱のうちの他の２つと概ね交差する請求項１３記載の磁気システム。
【請求項１５】
撮影領域内の被検体を磁気的に画像化するシステムにおいて、
前記撮影領域の上下に分極された静磁場磁石と、傾斜磁場コイルとを有し、前記撮影領域の上下それぞれに設けられたハウジングと、
２つのＵ字形ループを形成する単一ＲＦ送信コイルであって、一方のループは他方から見るとＵ字形であり、各Ｕ字形ループは前記撮影領域の外に向かって凹状に設けられ、かつそれぞれのハウジングによりその位置が定められる２つの辺を有する単一のＲＦ送信コイルストリップと、
傾斜磁場コイルの磁束とＲＦ送信コイルストリップとを制御するコンピュータとを具備するシステム。
【請求項１６】
２つのＵ字形ループそれぞれは、面が異なる２つのハーフループを有する請求項１５記載のシステム。
【請求項１７】
磁束導体からなり、前記撮影領域の上下にハウジングを構造的に支える支柱をさらに備える請求項１５記載のシステム。
【請求項１８】
隣り合う２本の支柱２組として配置された４本の支柱であって、各ハーフループは３つの辺を有し、前記２つ１組のハーフループは、それぞれのハウジングにより定められる２つの辺を有し、Ｕ字形ループの一方を形成する２つのハーフループの辺のうち、ハウジングにより定められる辺以外の残りの辺は、隣り合う２本の支柱のそれぞれの辺に対応して定められており、Ｕ字形ループの他方を形成する別の２つのハーフループの辺のうち、ハウジングにより定められる辺以外の残りの辺は、隣り合う別の２本の支柱のそれぞれの辺に対応して定められている４本の支柱をさらに有する請求項１６記載のシステム。